(57)【要約】【課題】個々の情報家電機器用の初期設定を行うことができる映像配信端末及び映像配信方法を提供する。【解決手段】映像配信端末１０がマルチメディア表示装置６０の表現能力を示す機器情報を取得して、該機器情報に含まれるＥＤＩＤ値を検出して情報テーブルを作成し、作成した情報テーブルをネットワーク７０経由で端末管理装置３０へ送信し、端末管理装置３０は、映像配信端末１０から送られてきた情報テーブルを参照してＷＥＢサーバ４０及びＶＯＤサーバ５０に登録されているコンテンツ情報に基づき、マルチメディア表示装置６０で表示可能な映像フォーマット、音声サンプリング周波数等を決定し、それらを基に設定テーブルを生成して映像配信端末１０へ送信し、それを受信した映像配信端末１０が該設定テーブルに従ってマルチメディア表示装置６０用の情報の配信を可能とする設定を行う。【選択図】図１
2006350919.tif 000002
【特許請求の範囲】
【請求項１】
マルチメディア表示装置に映像や音声を配信する映像配信端末において、
ネットワークを通じて端末管理装置に接続するためのネットワーク接続手段と、
前記マルチメディア表示装置に接続するインタフェース接続手段と、
前記インタフェース接続手段に接続された前記マルチメディア表示装置の機器情報を検出する情報検出手段と、
前記情報検出手段で検出された前記マルチメディア表示装置の機器情報を前記端末管理装置へ通知する機器情報通知手段と、
前記端末管理装置が前記機器情報通知手段からの機器情報を参照して前記マルチメディア表示装置の設定情報を生成してそれを通知してきた場合、該設定情報に基づいて前記マルチメディア表示装置用の映像と音声を前記マルチメディア表示装置に配信できるように自端末の設定を行う情報設定手段と、
を備える映像配信端末。
【請求項２】
前記情報検出手段は、前記インタフェース接続手段にて接続された前記マルチメディア表示装置の接続状態を定期的に検出し、
前記機器情報通知手段は、前記情報検出手段にて前記マルチメディア表示装置の接続状態が検出されるごとに前記マルチメディア表示装置の接続状態を示す情報を前記端末管理装置に通知する請求項１に記載の映像配信端末。
【請求項３】
前記情報設定手段は、前記端末管理装置より送信されてきた制御情報をＣＥＣ（Consumer Electronics Control）の情報に変換して前記マルチメディア表示装置へ送信することで前記マルチメディア表示装置を制御する請求項１又は請求項２に記載の映像配信端末。
【請求項４】
請求項１乃至請求項３のいずれかに記載の映像配信端末と、
映像や音声を再生する前記マルチメディア表示装置と、
前記映像配信端末からの機器情報を参照して前記マルチメディア表示装置の設定情報を生成しそれを前記映像配信端末に通知する前記端末管理装置と、
を備える映像配信システム。
【請求項５】
マルチメディア表示装置に映像や音声を配信する映像配信方法において、
情報配信端末がＨＤＭＩ（High-Definition Multimedia Interface）に準拠するインタフェースを利用して前記マルチメディア表示装置の機器情報を取得し、取得した機器情報をネットワークを介して端末管理装置に通知し、この通知により前記端末管理装置が前記機器情報を参照して前記マルチメディア表示装置の設定情報を前記情報配信端末に通知することで、前記情報配信端末が該設定情報に基づいて前記マルチメディア表示装置用の映像と音声を前記マルチメディア表示装置に配信できるように自端末の設定を行う映像配信方法。
【発明の詳細な説明】
【技術分野】
【０００１】
本発明は、マルチメディア表示装置に映像や音声を配信する映像配信端末及び映像配信方法に関する。
【背景技術】
【０００２】
従来、例えばテレビを購入したときや転居してチャンネルが変わったときにはチャンネルの初期設定が必要となり、取り扱い説明書を参照しながら手動で設定を行っている。また、映像や音声に関する諸設定についても手動で設定を行っている。これらの設定は煩雑であり、また設定項目が多いため設置時の人的ミスが発生する可能性が高くなることから、初期設定におけるユーザの操作負担を軽減する技術が提案されている（例えば、特許文献１参照）。
【０００３】
図１０は、従来の映像配信システムの全体構成を示すブロック図である。この図において、ホームサーバ（本発明で言う映像配信端末）１０１は、ネットワーク１０５を介してコミュニティサーバ１０２に情報家電機器（本発明で言うマルチメディア表示装置）１０４の初期設定用情報を要求する。コミュニティサーバ１０２は、情報家電機器１０４の初期設定用情報を保有している場合は、それをネットワーク１０５を介してホームサーバ１０１に送信し、保有していない場合はその未保有の情報を上位サーバ（図示略）に要求する。ホームサーバ１０１は、コミュニティサーバ１０２から受信した初期設定用情報を用いて情報家電機器１０４の初期設定を制御する。また、ホームサーバ１０１は、初期設定用情報に含まれる制御画面情報と制御情報を一元管理し、操作パネル１０３は、ホームサーバ１０１で管理される制御画面情報と制御情報に基づいて情報家電機器１０４を制御する制御画面を表示する。
【０００４】
【特許文献１】特開２００３−３０８２６３号公報
【発明の開示】
【発明が解決しようとする課題】
【０００５】
しかしながら、従来の映像配信システムにおいては、個々の情報家電機器に対してコミュニティサーバ１０２又はその上位サーバが保有している初期設定用情報を一方的に設定するため、情報家電機器との不一致が発生してしまうという問題がある。
【０００６】
本発明は、係る事情に鑑みてなされたものであり、個々の情報家電機器用の初期設定を行うことができる映像配信端末及び映像配信方法を提供することを目的とする。
【課題を解決するための手段】
【０００７】
上記目的は下記構成及び方法により達成される。
（１）  マルチメディア表示装置に映像や音声を配信する映像配信端末において、ネットワークを通じて端末管理装置に接続するためのネットワーク接続手段と、前記マルチメディア表示装置に接続するインタフェース接続手段と、前記インタフェース接続手段に接続された前記マルチメディア表示装置の機器情報を検出する情報検出手段と、前記情報検出手段で検出された前記マルチメディア表示装置の機器情報を前記端末管理装置へ通知する機器情報通知手段と、前記端末管理装置が前記機器情報通知手段からの機器情報を参照して前記マルチメディア表示装置の設定情報を生成してそれを通知してきた場合、該設定情報に基づいて前記マルチメディア表示装置用の映像と音声を前記マルチメディア表示装置に配信できるように自端末の設定を行う情報設定手段と、を備える。
【０００８】
この構成によれば、マルチメディア表示装置から機器情報を検出してそれを端末管理装置に通知し、この通知によって該端末管理装置からマルチメディア表示装置の設定情報を得るので、設定情報とマルチメディア表示装置との不一致が発生することなく、確実に個々の情報家電機器に見合った初期設定を行うことが可能となる。
【０００９】
（２）  上記（１）に記載の映像配信端末において、前記情報検出手段は、前記インタフェース接続手段にて接続された前記マルチメディア表示装置の接続状態を定期的に検出し、前記機器情報通知手段は、前記情報検出手段にて前記マルチメディア表示装置の接続状態が検出されるごとに前記マルチメディア表示装置の接続状態を示す情報を前記端末管理装置に通知する。
【００１０】
この構成によれば、マルチメディア表示装置の接続状態を端末管理装置に通知するので、端末管理装置はマルチメディア表示装置の接続状態を管理することが可能となる。
【００１１】
（３）  上記（１）又は（２）に記載の映像配信端末において、前記情報設定手段は、前記端末管理装置より送信されてきた制御情報をＣＥＣの情報に変換して前記マルチメディア表示装置へ送信することで前記マルチメディア表示装置を制御する。
【００１２】
この構成によれば、遠隔地より映像配信端末に接続されたマルチメディア表示装置の状態管理及び制御が可能となり、メンテナンスの作業量を軽減できる。
【００１３】
（４）  映像配信システムにおいて、上記（１）乃至（３）のいずれかに記載の映像配信端末と、映像や音声を再生する前記マルチメディア表示装置と、前記映像配信端末からの機器情報を参照して前記マルチメディア表示装置の設定情報を生成しそれを前記映像配信端末に通知する前記端末管理装置と、を備える。
【００１４】
この構成によれば、設定情報とマルチメディア表示装置との不一致が発生することなく、確実に個々の情報家電機器に見合った初期設定を行うことが可能となる。
【００１５】
（５）  マルチメディア表示装置に映像や音声を配信する映像配信方法において、情報配信端末がＨＤＭＩに準拠するインタフェースを利用して前記マルチメディア表示装置の機器情報を取得し、取得した機器情報をネットワークを介して端末管理装置に通知し、この通知により前記端末管理装置が前記機器情報を参照して前記マルチメディア表示装置の設定情報を前記情報配信端末に通知することで、前記情報配信端末が該設定情報に基づいて前記マルチメディア表示装置用の映像と音声を前記マルチメディア表示装置に配信できるように自端末の設定を行う。
【００１６】
この方法によれば、マルチメディア表示装置から機器情報を検出して端末管理装置に通知し、この通知によって該端末管理装置からマルチメディア表示装置の設定情報を得るので、設定情報とマルチメディア表示装置との不一致が発生することなく、確実に個々のマルチメディア表示装置に見合った初期設定を行うことが可能となる。
【発明の効果】
【００１７】
本発明の映像配信端末によれば、マルチメディア表示装置から機器情報を検出してそれを端末管理装置に通知し、この通知によって該端末管理装置からマルチメディア表示装置の設定情報を得るので、設定情報とマルチメディア表示装置との不一致が発生することなく、確実に個々の情報家電機器に見合った初期設定を行うことが可能となる。
【発明を実施するための最良の形態】
【００１８】
以下、本発明を実施するための好適な実施の形態について、図面を参照して詳細に説明する。
【００１９】
（実施の形態１）
図１は、本発明の実施の形態１に係る映像配信システムの概略構成を示すブロック図である。この図において、本実施の形態に係る映像配信システムは、映像配信端末１０と、端末管理装置３０と、ＷＥＢサーバ４０と、ＶＯＤ（Video On Demand）サーバ５０と、マルチメディア表示装置６０とを備えて構成される。
【００２０】
ＷＥＢサーバ４０とＶＯＤサーバ５０は、各種コンテンツ情報の配信を行うものであり、特にＶＯＤサーバ５０は、ストリーミング配信やライブ中継を行う。端末管理装置３０は、ＷＥＢサーバ４０又はＶＯＤサーバ５０に登録されているコンテンツ情報に基づき、マルチメディア表示装置６０で表示可能な映像フォーマット、音声サンプリング周波数等を決定する。マルチメディア表示装置６０は、自己の表現能力を示す機器情報を映像配信端末１０へ送信する。この機器情報にはＨＤＭＩ（High-Definition Multimedia Interface）規格で定められているＥＤＩＤ（Extended Display Identification Data）値が含まれる。このＥＤＩＤ値は、仕様、特性を示すパラメータである。
【００２１】
映像配信端末１０は、ネットワーク７０を通じて端末管理装置３０に接続するためのネットワーク接続部（ネットワーク接続手段）１１と、ＨＤＭＩを通じてマルチメディア表示装置６０に接続するインタフェース接続部（インタフェース接続手段）１２と、マルチメディア表示装置６０の表現能力を示す情報を検出する情報検出部（情報検出手段）１３と、情報検出部１３で検出された情報を基に情報テーブルを作成し、ネットワーク７０を介して端末管理装置３０へ送信する情報テーブル生成部（機器情報通知手段）１４と、端末管理装置３０から送信された情報をネットワーク接続部１１を介して受信し、受信した情報に基づいて自端末１０の設定を行う情報設定部（情報設定手段）１５と、情報設定部１５にて設定された情報に従って映像と音声をマルチメディア表示装置６０に向けて出力する映像／音声出力部１６とを備える。
【００２２】
インタフェース接続部１２は、映像配信端末１０とマルチメディア表示装置６０とを接続するとともに、マルチメディア表示装置６０の接続状態を情報検出部１３に通知する。情報検出部１３は、マルチメディア表示装置６０から送信される機器情報をインタフェース接続部１２を介して受信し、該機器情報に含まれるＥＤＩＤ値より、「映像フォーマット」、「アスペクト比」、「フレーム周波数」、「色空間」、「音声タイプ」、「音声サンプリング周波数」、「音声量子化ビット数」、「スピーカ数」を検出し、それらを情報テーブル生成部１４に入力する。情報テーブル生成部１４は、情報検出部１３からの各種情報を基に図２に示すように情報テーブルを生成する。この図に示す情報テーブルは、「ヘッダ」、「映像配信装置識別子」、「映像フォーマット」、「アスペクト比」、「フレーム周波数」、「色空間」、「音声タイプ」、「音声サンプリング周波数」、「音声量子化ビット」、「スピーカ数」、「フッダ」の各種情報で構成される。また、情報テーブル生成部１４は、生成した情報テーブルをネットワーク接続部１１から端末管理装置３０へ送信する。上記映像配信装置識別子は、映像配信端末１０を一意に特定できることを可能にするものである。なお、ネットワーク７０は、有線回線或いは無線回線で形成され、その通信形態としては、例えばＬＡＮやインターネット、ＩＥＥＥ１３９４等が用いられる。
【００２３】
端末管理装置３０は、映像配信端末１０より送信された情報テーブルをネットワーク７０を介して受信する。端末管理装置３０は、ＷＥＢサーバ４０、ＶＯＤサーバ５０に登録されているコンテンツ情報に基づき、マルチメディア表示装置６０で表示可能な映像フォーマット、音声サンプリング周波数等を決定する。なお、ＶＯＤサーバ５０のコンテンツ情報は必ずしも必要とするものではない。端末管理装置３０は、決定した映像フォーマット、音声サンプリング周波数等を基に図２と略同様の設定テーブルを生成し、それをネットワーク７０を介して映像配信端末１０へ送信する。映像配信端末１０では、情報設定部１５が、端末管理装置３０からの設定テーブルをネットワーク７０を介して受信することで、該設定テーブルに従ってマルチメディア表示装置６０に配信する映像、音声等を最適化する設定を行う。即ち、マルチメディア表示装置６０に適した映像、音声等をマルチメディア表示装置６０に対して出力できるように自端末における設定を行う。この時、設定テーブル内に存在しないパラメータは、映像配信端末１０がデフォルトで持つ値を使用しても構わない。
【００２４】
次に、図３を参照して上記構成の映像配信システムの動作を説明する。図３は、映像配信端末１０、マルチメディア表示装置６０及び端末管理装置３０の間の処理の流れを示すフロー図である。マルチメディア表示装置６０から表現能力を示す機器情報が送信されると（ステップＳ１）、その機器情報を映像配信端末１０が受信する（ステップＳ２）。映像配信端末１０は、マルチメディア表示装置６０の表現能力を示す機器情報を受信すると、該機器情報に含まれるＥＤＩＤ値より、「映像フォーマット」、「アスペクト比」、「フレーム周波数」、「色空間」、「音声タイプ」、「音声サンプリング周波数」、「音声量子化ビット数」、「スピーカ数」を検出する（ステップＳ３）。次いで、検出した各情報を基に図２に示す情報テーブルを生成し（ステップＳ４）、それを端末管理装置３０に向けて送信する（ステップＳ５）。情報テーブルを端末管理装置３０へ送信した後、端末管理装置３０から設定テーブルが送信されてくるまで待機する。
【００２５】
端末管理装置３０から設定テーブルが送信されてくると、その設定テーブルを映像配信端末１０が受信し（ステップＳ９）、受信した設定テーブルに従って自己の各種設定を行う。このとき、設定テーブル内に存在しないパラメータは、映像配信端末１０がデフォルトで持つ値を使用しても良い（ステップＳ１０）。
【００２６】
端末管理装置３０は、映像配信端末１０より送信された情報テーブルをネットワーク７０を介して受信すると（ステップＳ６）、マルチメディア表示装置６０が表示するコンテンツサイズに基づき、情報テーブル内のパラメータを決定する。即ち、ＷＥＢサーバ４０及びＶＯＤサーバ５０に登録されているコンテンツ情報に基づき、マルチメディア表示装置６０で表示可能な映像フォーマット、音声サンプリング周波数等を決定する（ステップＳ７）。次いで、決定した設定テーブルをネットワーク７０を介して映像配信端末１０に向けて送信する（ステップＳ８）。
【００２７】
このように本実施の形態に係る映像配信システムによれば、映像配信端末１０がマルチメディア表示装置６０の表現能力を示す機器情報を取得して、該機器情報に含まれるＥＤＩＤ値を検出して情報テーブルを作成し、作成した情報テーブルをネットワーク７０経由で端末管理装置３０へ送信し、端末管理装置３０は、映像配信端末１０から送られてきた情報テーブルを参照して、ＷＥＢサーバ４０及びＶＯＤサーバ５０に登録されているコンテンツ情報に基づき、マルチメディア表示装置６０で表示可能な映像フォーマット、音声サンプリング周波数等を決定し、それらを基に設定テーブルを生成して映像配信端末１０へ送信し、それを受信した映像配信端末１０が、該設定テーブルに従ってマルチメディア表示装置６０の表現能力に見合う情報の配信を可能とする設定を行う。これにより、映像配信端末１０を設置する際に設定していた初期設定（マルチメディア表示装置６０の解像度、色空間、音声等）の簡略化が可能となり、設置時の作業時間を削減することができる。また、設定ミスによる作業時間ロスも削減できる。
【００２８】
（実施の形態２）
次に、本発明の実施の形態２に係る映像配信システムについて説明する。本実施の形態に係る映像配信システムは、上述した実施の形態１に係る映像配信システムと動作の一部に違いがあるものの、全体構成は実施の形態１に係る映像配信システムと同一であるので図１を援用し、異なっている動作についてのみ説明する。
【００２９】
図４は、映像配信端末１０及び端末管理装置３０の間の処理の流れを示すフロー図である。この図において、映像配信端末１０では、インタフェース接続部１２がＨＤＭＩインタフェースの接続情報を検出し、その結果を定期的に情報検出部１３に通知する。この場合、接続情報は状態変化が生じたときのみ通知するようにしても良い。情報検出部１３は、インタフェース接続部１２から通知されたＨＤＭＩインタフェースの接続情報を情報テーブル生成部１４に通知する。この場合、接続情報は状態変化が発生したときのみ通知するようにしても良い（ステップＳ４１）。
【００３０】
情報テーブル生成部１４は、図５に示すような形態で「映像配信端末識別子」と「接続状態」を示す情報テーブルを生成する（ステップＳ４２）。なお、この図に示す形態は一例であり、これ以外の情報を含んでも良い。情報テーブル生成部１４で生成された接続情報を含む情報テーブルをネットワーク７０を介して端末管理装置３０に向けて送信する（ステップＳ４３）。端末管理装置３０では、映像配信端末１０より送信された接続情報を含む情報テーブルを受信する（ステップＳ４４）。そして、受信した接続情報を含む情報テーブルを図６に示すような形態で管理する（ステップＳ４５）。この図に示す形態においては、映像配信端末識別子１では、テレビとＡＶアンプが接続されており、映像配信端末識別子２では、テレビのみが接続されている。また、映像配信端末識別子３では、テレビ、ＡＶアンプ、ＤＶＤプレーヤ及びその他の機器の全てにおいて接続断になっており、映像配信端末識別子４では、テレビとＡＶアンプが接続され、ＤＶＤプレーヤの接続が断になっている。なお、この図に示す内容は一例であり、これ以外の情報を含んでも構わない。
【００３１】
このように本実施の形態に係る映像配信システムによれば、映像配信端末１０が、定期的に自己へのマルチメディア表示装置６０の接続状態を検出し、その検出結果を端末管理装置３０に通知するので、端末管理装置３０にて遠隔地より映像配信端末１０に接続されているマルチメディア表示装置６０の接続状態を確認することが可能となり、メンテナンスの作業量を削減することができる。
【００３２】
（実施の形態３）
次に、本発明の実施の形態３に係る映像配信システムについて説明する。本実施の形態に係る映像配信システムは、上述した実施の形態１に係る映像配信システムと動作の一部に違いがあるものの、全体構成は実施の形態１に係る映像配信システムと同一であるので図１を援用し、異なっている動作についてのみ説明する。
【００３３】
図７は、映像配信端末１０、マルチメディア表示装置６０及び端末管理装置３０の間の処理の流れを示すフロー図である。端末管理装置３０では、映像配信端末１０に接続されているマルチメディア表示装置６０を制御するためのコマンド（制御情報）を映像配信端末１０に送信する（ステップＳ７１）。このコマンドは図８のように、「映像配信端末識別子」、「マルチメディア表示装置識別子」、「コマンド」の形態をとる。なお、この図に示すコマンドは一例であり、その他の情報を含んでも構わない。映像配信端末１０では、端末管理装置３０からのコマンドをネットワーク７０を介してネットワーク接続部１１で受信する（ステップＳ７２）。受信したコマンドは情報設定部１５に入力される。情報設定部１５は、該コマンド内のマルチメディア表示装置識別子を参照して該当するマルチメディア表示装置６０が存在するかどうか確認する（ステップＳ７３）。
【００３４】
不一致である場合即ち該当するマルチメディア表示装置６０が存在しない場合には、ネットワーク接続部１１より応答コマンドを送信する（ステップＳ７４）。端末管理装置３０では、映像配信端末１０より不一致である旨を示す応答コマンドを受信すると（ステップＳ７５）、制御不能であるとして、図９に示す状態テーブルを更新する（ステップＳ７６）。ここで、端末管理装置３０は制御不能であることを通知する手段を有しても良い。また、図９に示す形態は一例であり、その他の情報を含んでも良い。
【００３５】
一方、該当するマルチメディア表示装置６０が存在する場合は、受信したコマンドをＣＥＣ（Consumer Electronics Control）のコマンド体系に変換し、それをマルチメディア表示装置６０に向けて送信する（ステップＳ７７）。マルチメディア表示装置６０では、ＣＥＣのコマンドを受信すると、それに従ってコマンド制御をし、それに準じたＣＥＣ応答コマンドを映像配信端末１０に向けて送信する（ステップＳ７８）。映像配信端末１０では、マルチメディア表示装置６０から送信されたＣＥＣ応答コマンドを受信すると（ステップＳ７９）、ＣＥＣ応答コマンドを情報テーブル生成部１４にて端末管理装置３０に対するコマンドに変換し、変換後の応答コマンドをネットワーク接続部１１より端末管理装置３０に向けて送信する（ステップＳ８０）。ここで、受信した応答コマンドに応じて、映像配信端末１０が接続しているマルチメディア表示装置６０の状態を管理しても良い。端末管理装置３０では、ネットワーク７０を介して応答コマンドを受信すると（ステップＳ８１）、受信した応答コマンドに従い、図９に示す形態の情報テーブルを更新する（ステップＳ８２）。
【００３６】
例えば、映像配信端末が複数あって、そのうち本実施の形態の映像配信端末１０を指定し、さらに映像配信端末１０に接続されているマルチメディア表示装置６０としてＡＶアンプを指定し、そのときのコマンドが電源オフであるとする。この場合、映像配信端末１０にはＡＶアンプが存在することから、該当するマルチメディア表示装置６０が存在するとして、ＡＶアンプの電源をオフするＣＥＣコマンドがマルチメディア表示装置６０であるＡＶアンプへ送信される。ＡＶアンプは、電源をオフするＣＥＣコマンドを受信すると、電源をオフし、さらに電源をオフしたことを示すＣＥＣ応答コマンドを映像配信端末１０に送信する。映像配信端末１０は、ＡＶアンプから電源をオフしたことを示すＣＥＣ応答コマンドを受けると、端末管理装置３０が処理できる形式に変換して端末管理装置３０へ送信する。端末管理装置３０は、ＡＶアンプの電源をオフしたことを示す応答コマンドを受け取ると、情報テーブルの該当する箇所即ち映像配信端末１０のＡＶアンプの項目を電源オンから電源オフに更新する。
【００３７】
このように本実施の形態に係る映像配信システムによれば、映像配信端末１０の情報設定部１５からＣＥＣコマンドを送信するようにしたので、端末管理装置３０よりＨＤＭＩインタフェース接続部１２を介して、マルチメディア表示装置６０の制御をすることが可能となる。これにより、遠隔地より、マルチメディア表示装置６０の接続状態を制御することが可能となり、遠隔地より任意のタイミングで管理者が意図するコンテンツを表示することができる。
【産業上の利用可能性】
【００３８】
本発明は、個々のマルチメディア表示装置（情報家電機器）に見合った初期設定を行うことができるといった効果を有し、端末管理装置、映像配信端末及びマルチメディア表示装置からなる映像配信システムなどへの適用が可能である。
【図面の簡単な説明】
【００３９】
【図１】本発明の実施の形態１に係る映像配信システムの概略構成を示すブロック図
【図２】本発明の実施の形態１に係る映像配信システムの情報テーブルの一例を示す図
【図３】本発明の実施の形態１に係る映像配信システムの動作を説明するためのフロー図
【図４】本発明の実施の形態２に係る映像配信システムの動作を説明するためのフロー図
【図５】本発明の実施の形態２に係る映像配信システムの情報テーブルの一例を示す図
【図６】本発明の実施の形態２に係る映像配信システムの管理テーブルの一例を示す図
【図７】本発明の実施の形態３に係る映像配信システムの動作を説明するためのフロー図
【図８】本発明の実施の形態３に係る映像配信システムの情報テーブルの一例を示す図
【図９】本発明の実施の形態３に係る映像配信システムの管理テーブルの一例を示す図
【図１０】従来の映像配信システムの全体構成を示すブロック図
【符号の説明】
【００４０】
１０  映像配信端末
１１  ネットワーク接続部
１２  インタフェース接続部
１３  情報検出部
１４  情報テーブル生成部
１５  情報設定部
１６  映像／音声出力部
３０  端末管理装置
４０  ＷＥＢサーバ
５０  ＶＯＤサーバ
６０  マルチメディア表示装置
【図１】
2006350919.tif 000003
【図２】
2006350919.tif 000004
【図３】
2006350919.tif 000005
【図４】
2006350919.tif 000006
【図５】
2006350919.tif 000007
【図６】
2006350919.tif 000008
【図７】
2006350919.tif 000009
【図８】
2006350919.tif 000010
【図９】
2006350919.tif 000011
【図１０】
2006350919.tif 000012